(57)【要約】      （修正有）【課題】使用者がランニング等の運動時に、紐の端部がぶらぶらして、使用者が煩わしい思いをすることがないよう、衣服等の物品の紐を固定する紐用固定具を提供する。【解決手段】紐用固定具は物品の紐を固定するためにその紐に取り付けられた紐ロックを含み、紐ロックは係合部１０´を有し、係合部は、或る内径を有する凹形の中心区域６を備え、紐用固定具は、更に物品に固定された基部３を有し、基部３には、スナップばめ式に中心区域６と係合する凸部５が設けられ、中心区域６の内径は、基部３上の凸部５の外径より僅かに小さくされていることで、中心区域６をスナップばめ式に基部３と係合するようにした。物品を固定するために適用することによって使用者に不快感を与えることを防ぐことができる。【選択図】図１
0003140077.tif 000002
【実用新案登録請求の範囲】
【請求項１】
物品の紐に取り付けられた紐固定用の紐ロックを含む紐用固定具において、
前記紐ロックが係合部（１０，１０´）を有し、該係合部は或る内径を有する凹形の中心区域（６）を備えており、
前記紐用固定具は、更に前記物品に固定された基部（３）を有し、該基部（３）には、スナップばめ式に前記中心区域（６）と係合する凸部（５）が設けられており、
前記中心区域（６）の内径が、前記基部（３）上の凸部（５）の外径より僅かに小さくされていることで、前記中心区域（６）をスナップばめ式に前記凸部（５）と係合させる、紐用固定具。
【請求項２】
前記基部（３）は、更に前記凸部（５）と結合された基体（８）を有し、該基体（８）は平らであり、かつ前記物品に固定結合されている、請求項１に記載された紐用固定具。
【請求項３】
前記紐ロックは前記紐の端部のところで該紐を固定するための紐ロックである、請求項１又は請求項２に記載された紐用固定具。
【請求項４】
前記紐ロックは、更に前記係合部（１０）と結合された頭部（９）を含み、前記紐の端部は前記頭部（９）に固定結合されている、請求項３に記載された紐用固定具。
【請求項５】
前記紐ロックは紐のどの位置でもロック可能な紐ロックである、請求項１又は請求項２に記載された紐用固定具。
【請求項６】
前記紐ロックは、更に前記係合部（１０´）の内側に位置する下端と、フランジ（１４）を有する上端とを有する押圧部（１１）を含み、該押圧部（１１）と前記係合部（１０´）との間には、ばね（１３）が配置され、該ばね（１３）の一端は前記押圧部（１１）のフランジ（１４）に当接し、該ばね（１３）の他端は前記係合部（１０´）の内壁に設けられたボスに当接しており、前記係合部（１０´）の側壁は、紐を通す貫通穴（１２）を備え、該貫通穴（１２）を通された紐が、前記ばね（１３）のばね力によってロックされる、請求項５に記載された紐用固定具。
【請求項７】
前記紐ロックと基部（３）とは弾性材料製である、請求項１又は請求項２に記載された紐用固定具。
【請求項８】
前記紐ロックと基部（３）とがプラスチック製である、請求項７に記載された紐用固定具。
【考案の詳細な説明】
【技術分野】
【０００１】
本考案は、紐類（ｃｏｒｄ）用固定具に関わり、特に、或る物品の紐（例えば衣服又はナップザックの紐等）を固定するための固定具に関するものである。
【背景技術】
【０００２】
紐類のなかには、衣服（特にコート、上着）又はナップザック等の物品に取り付けられるものがあり、例えばコートの頭巾のへり（ｈａｔ  ｂｒｉｍ）やコートの袖口等は、通常、紐によって締めたり弛めたりする。頭巾のへり又は袖口を締める場合、へりは紐に沿って締め括られた後、へりに近い紐の或る箇所で固定されるか留めるかされることで、へりの弛みが防止される。これまで、種々の紐用固定具が市場に出ている。また装飾用の紐も幾種類か存在するが、それらは、従来、紐の端部に固定具を備えることで、端部を固定している。しかし、この種の固定具は、単に紐に固定されているだけで、紐が衣服から垂れ下がるのを防止することはできない。このため、紐は、それに取り付けられた固定具と一緒にぶらぶらして、使用者が、ランニングのような運動をするときには都合が悪い。
【考案の開示】
【考案が解決しようとする課題】
【０００３】
本考案の目的は、衣服等の物品に紐を固定する紐用の固定具を提供することである。これにより、紐は固定されて、使用者がランニング等の運動をする時にぶらぶらすることがなくなり、それにより、紐がぶらぶらすることで使用者が煩わしい思いをすることがなくなる。
【課題を解決するための手段】
【０００４】
この目的のために、本考案は、紐固定用の、物品の紐に取り付けられる紐ロック（ｃｏｒｄ  ｌｏｃｋ）を含む紐用固定具を提供する。この場合、該紐ロックは、或る内径を有する凹形の中心区域（ｈｏｌｌｏｗ  ｃｅｎｔｒａｌ  ｚｏｎｅ）を備えた係合部を有している。前記紐用固定具は、更に、前記物品に固定された基部を有し、該基部には、前記中心区域とスナップばめ式に係合するように、凸部が設けられ、前記中心区域の内径は、前記基部の凸部の外径より僅かに小さくされて、この中心区域を前記凸部とスナップばめ式に係合させるようになっている。
【０００５】
本考案による固定具は、更に次の技術的特徴を含んでいる：
前記基部は、更に、前記凸部と結合された基体を有し、該基体は平らで前記物品に固定結合されている。
さらに、前記紐ロックは、紐の端部で紐を固定するようにした紐ロックにしてもよい。例えば、前記紐ロックは、更に前記係合部と結合された頭部（ｂａｓｅ  ｐｏｒｔｉｏｎ）を含み、この頭部に前記紐の端部が固定結合される。
前記紐ロックは、紐のどの位置でもロック可能な紐ロックにしてもよい。
前記紐ロックと基部とは、弾性材料、例えばプラスチック（ｐｌａｓｔｉｃｓ）で作ることができる。
【０００６】
本考案の、固定具は、以下のように使用することができる：
物品（例えば衣服又はナップザック）が装飾用の紐又は袖口や頭巾のへり等を締める紐を有する場合、紐に取り付けられるか固定されるかした係合部が、スナップばめ式に、前記物品に取り付けた基部の凸部と係合することで、紐ロックが基部上に固定され、それにより前記物品上に固定される。こうすることで、紐ロックは使用者に何ら煩わしさを与えることがなくなる。基部は、コートの頭巾等の衣料に縫い付けることで、衣料の外観を損なうことはない。
【実施例】
【０００７】
以下で、本考案を、図示の固定具の実施例を示す図面に関連して詳細に説明する。
図１‐図９は、本考案による紐用固定具の好適実施例を示している。該固定具は、紐を固定するために物品の紐１８に取り付けた紐ロック２，２´を含み、この場合、紐ロック２、２´は、或る内径を有する凹形の中心区域６を備えた係合部１０，１０´を有している。前記紐用固定具は、更に、物品上に固定された基部３を含み、この基部には、スナップばめ式又はバックル固定式で前記中心区域６と係合する凸部５が設けられている。前記中心区域６の内径は、前記基部３の凸部５の外径より僅かに小さいので、中心区域６は前記基部３とスナップばめ式又はバックル固定式に係合する。スナップばめ式又はバックル固定式の固定形式は先行技術において公知であり、例えば、衣料等のスナップ固定具は、既述の形式で係合する。
【０００８】
本考案の場合、中心区域６は、スナップ固定具に似た係合構造物を採用することで、前記基部３とスナップばめ式又はバックル固定式に係合できる。簡単化するために、スナップばめ又はバックル固定形式でのそのような係合形式は、ここでは詳説しない。当業者は、本考案で説明したようなスナップばめ式又はバックル固定式による該係合構造物により、スナップばめ式又はバックル固定式で紐ロックを基部と係合させることができる。
【０００９】
例えば、基部３は、二部分、すなわち凸部５と基体８とを含んでいる。前記凸部５を固定具２，２´の中心区域６と比較すると、凸部５の外径は、中心区域６の内径より僅かに大きい。したがって、押圧効果が、紐ロックの中心区域６が基部３と係合した後に生じるので、凸部５の外壁は、基部３が紐ロックから外れないように中心区域６の内壁に対して押圧する。実際には、凸部５の外壁と中心区域６の内壁とは、先行技術において公知の締りばめにより係合する。他方、前記凸部５の外径が前記中心区域６の内径より大きい場合には、係合は不可能となる。そこで、一実施例によれば、図８に示すように、凸部５を二部分、すなわち上部５Ａと下部５Ｂとに分け、下部５Ｂを直角にしてもよい。そして、下部５Ｂの外壁を漸進的にテーパ付けし、上部５Ａのところでは外壁が円弧状の縁部を形成するようにする。このようにすることで、上部５Ａの外径が紐ロックの中心区域の内径より小さくなれば、前記凸部５は紐ロックの凹形の中心区域６に円滑に滑り込んで係合できる。
【００１０】
前記基部３は、更に、凸部５と結合された基体８を有し、該基体８は平らで、前記物品に固定結合されている。例えば、基体８は、衣料等の物品に縫い付けておくことができる。
前記紐ロックは、図３、図４、図８から分かるように、紐の端部に取り付けられており、しかも、前記紐ロックは、更に、前記係合部１０と結合された頭部９を含み、この頭部９に前記紐の端部が固定結合されている。言うまでもなく、紐の端部に固定された、他の公知構造物の紐ロックも、同様に本考案で利用可能である。
【００１１】
前記紐ロックは、図１、図２、図５に見られるように、紐のどの位置でも紐をロックする紐ロックにすることもでき、その場合、前記紐ロックは、更に、前記係合部１０´の内側に位置する下端と、フランジ１４を有する上端とを備えた押圧部材１１を含んでいる。この押圧部材１１と前記係合部１０´との間には、ばね１３が配置され、ばね１３の一端は前記押圧部材１１のフランジ１４に当接し、ばね１３の他端は前記係合部１０´の内壁に設けられたボスに当接している。係合部１０´の側壁は、紐を通す貫通穴１２を備えている。貫通穴１２を通された紐は、ばね１３のばね力によってロックされる。もちろん、先行技術には、本新案の固定具によって組み込み可能な紐をロックできる種々の紐ロックが存在する。
【００１２】
紐ロックと基部３とは弾性材料（例えばプラスチック）で製造できる。紐ロックと基部とのスナップばめ式又はバックル固定式の係合は、弾性材料の弾性変形によって実現できる。このことも、しかし、先行技術により公知である。
特に、図１、図２、図５に示すように、紐ロック２´は、紐（例えばコート、上着の紐）の留め又は固定のために使用できる。その中心区域が凹形である前記紐ロック２´は、また衣料に縫い付けられた基部３との係合用ボタンとして機能することで、紐をしっかりと留めることができる。紐ロックを基部と係合させるには、紐ロックの頂部を押圧して、その押圧力で係合させることができる。このことは、紐ロックと基部とを指で互いに押し合わせることで容易に実現できる。紐ロックを分離するには、紐ロックの側部を指で押すだけで容易に分離させることができる。
【００１３】
紐ロック２´と同様に、紐ロック２は中心区域が凹形となっている。紐ロック２は、紐ロック２の頂部を指で押圧すると、基部３の凸部と係合させることができる。紐ロックを外すには、紐ロック２の紐を軽く引張るだけでよい。
紐がコートの頭巾の内側に配置されている場合、本考案は、頭巾を使用している間、紐の端部又は紐ロックによって紐を固定できる。紐が本考案によって固定されるので、使用者は、ランニング等の戸外スポーツの間の煩わしさが低減される。
本考案は、物品（例えば紐に取り付けられた固定部材又はボタン）を固定するのに利用可能であり、それによって使用者は物品の使用に伴う煩わしさを防止できる。基部はコートの頭巾のような衣料にその外見に影響することなく縫い付けることができる。
【図面の簡単な説明】
【００１４】
【図１】本考案の第１実施例による紐用固定具の略示図。（実施例１）
【図２】図１の固定具を使用状態で示す略示図で、紐ロックの係合部が基部とスナップばめ式に係合している。
【図３】本考案の第２実施例による紐用固定具の略示図。（実施例２）
【図４】図３の固定具を使用状態で示した略示図で、紐ロックの係合部が基部とスナップばめ式に係合している。
【図５】図１に示した第１実施例による固定具の紐ロックの略示図。
【図６】基体の略示図。
【図７】固定具の使用状態を示す、図２と同様の略示図。
【図８】図３の第２実施例による固定具の紐ロックの略示図。
【図９】固定具の使用状態を示す、図４と同様の略示図。
【符号の説明】
【００１５】
２，２´  紐ロック
３  基部
５  凸部
５Ａ  外壁下部
５Ｂ  外壁上部
６  中心区域
８  基体
９  頭部
１０，１０´  係合部
１１  押圧部
１３  ばね
１４  フランジ
１８  紐
【図１】
0003140077.tif 000003
【図２】
0003140077.tif 000004
【図３】
0003140077.tif 000005
【図４】
0003140077.tif 000006
【図５】
0003140077.tif 000007
【図６】
0003140077.tif 000008
【図７】
0003140077.tif 000009
【図８】
0003140077.tif 000010
【図９】
0003140077.tif 000011